【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
重複するカバレージを有しスモールセルの一部を形成する複数の共存ワイヤレスシステムを使用する、ワイヤレス通信のための方法であって、
前記スモールセルのためのスモールセルコントローラによって、前記複数の共存ワイヤレスシステムのカバレージ内に配置され、前記複数の共存ワイヤレスシステムの第1のワイヤレスシステムと通信するユーザ機器(UE)を識別するステップと、
前記スモールセルコントローラによって、前記複数の共存ワイヤレスシステムに関する前記UEのメトリックを判断するステップであって、前記メトリックが、効率、またはサービス請求、またはサービス加入、またはアプリケーションタイプ、またはバッファサイズ、またはそれらの組合せに関係する、ステップと、
前記スモールセルコントローラによって、前記複数の共存ワイヤレスシステムに関する前記UEの前記メトリックに基づいて、前記UEを前記第1のワイヤレスシステムから前記複数の共存ワイヤレスシステムのうちの別のワイヤレスシステムに切り替えるかどうかを判断するステップと
を含む方法。
【請求項２】
前記複数の共存ワイヤレスシステムに関する前記UEの前記メトリックに基づいて、前記複数の共存ワイヤレスシステムに関する前記UEの切り替え優先順位を判断するステップであって、各ワイヤレスシステムに関する前記UEの切り替え優先順位が、前記UEを前記第1のワイヤレスシステムから前記各ワイヤレスシステムに切り替える優先順位を示す、ステップ
をさらに含み、
前記UEを切り替えるかどうかを判断する前記ステップが、前記複数の共存ワイヤレスシステムに関する前記UEの前記切り替え優先順位に基づいて、前記UEを前記第1のワイヤレスシステムから前記複数の共存ワイヤレスシステムのうちの別のワイヤレスシステムに切り替えるかどうかを判断するステップを含む、
請求項1に記載の方法。
【請求項３】
前記第1のワイヤレスシステムが輻輳を経験した場合、前記切り替え優先順位に基づいて、前記UEを前記第1のワイヤレスシステムから前記複数の共存ワイヤレスシステムのうちの別のワイヤレスシステムに切り替えるステップ
をさらに含む、請求項2に記載の方法。
【請求項４】
前記第1のワイヤレスシステムにおける輻輳が、利用可能な送信電力、または受信信号強度インジケータ(RSSI)または利用可能なリソースブロック、または利用可能な直交コード、または前記第1のワイヤレスシステム内の基地局における利用可能なチャネル要素、またはそれらの組合せに基づいて判断される、請求項3に記載の方法。
【請求項５】
前記複数の共存ワイヤレスシステムに関する前記UEの前記メトリックが、前記複数の共存ワイヤレスシステムの各々に関する前記UEの効率に関係する少なくとも1つのパフォーマンスメトリックを含む、請求項1に記載の方法。
【請求項６】
前記UEの効率に関係した前記少なくとも1つのパフォーマンスメトリックが、サポートされる物理レイヤレート、またはリンクバジェット、またはサポートされるセキュリティプロトコル、またはサポートされるシステム帯域幅、または前記複数の共存ワイヤレスシステムのうちの別のワイヤレスシステムについてサポートされる動作モード、またはそれらの組合せを含む、請求項5に記載の方法。
【請求項７】
前記UEが前記第1のワイヤレスシステムよりも第2のワイヤレスシステムについてより高い効率を有する場合、前記UEが、前記第1のワイヤレスシステムから前記第2のワイヤレスシステムへの切り替えについて、より高い優先順位を有する、請求項5に記載の方法。
【請求項８】
前記UEが前記第1のワイヤレスシステム上で悪い効率を有する場合、前記UEを前記第1のワイヤレスシステムから前記複数の共存ワイヤレスシステムのうちの別のワイヤレスシステムに切り替えるステップ
をさらに含む、請求項5に記載の方法。
【請求項９】
前記複数の共存ワイヤレスシステムに関する前記UEの前記メトリックが、前記第1のワイヤレスシステムと通信するための前記UEに対するサービス請求に関係する少なくとも1つのメトリックを含む、請求項1に記載の方法。
【請求項１０】
前記UEが第2のワイヤレスシステムよりも前記第1のワイヤレスシステムに対してより高いサービス請求を有する場合、前記UEには、前記第1のワイヤレスシステムから前記第2のワイヤレスシステムへの切り替えについて、より高い優先順位が割り当てられる、請求項1に記載の方法。
【請求項１１】
前記複数の共存ワイヤレスシステムに関する前記UEの前記メトリックが、前記複数の共存ワイヤレスシステムの各々での前記UEのサービス加入に関係する少なくとも1つのメトリックを含む、請求項1に記載の方法。
【請求項１２】
前記UEが第2のワイヤレスシステムでのサービス加入を有する場合、前記UEには、前記第1のワイヤレスシステムから前記第2のワイヤレスシステムへの切り替えについて、より高い優先順位が割り当てられる、請求項1に記載の方法。
【請求項１３】
前記複数の共存ワイヤレスシステムに関する前記UEの前記メトリックが、前記第1のワイヤレスシステム上の前記UEの少なくとも1つのアクティブなアプリケーションのアプリケーションタイプに関係する少なくとも1つのメトリックを含む、請求項1に記載の方法。
【請求項１４】
前記第1のワイヤレスシステム上の前記UEの前記少なくとも1つのアクティブなアプリケーションが、リアルタイムアプリケーション、または前記第1のワイヤレスシステム上でのみ許容されるアプリケーション、または両方を含み、前記UEが、アクティブなリアルタイムアプリケーション、または前記第1のワイヤレスシステム上でのみ許容されるアクティブなアプリケーション、または両方を有する場合、前記UEには、前記第1のワイヤレスシステムから別のワイヤレスシステムへの切り替えについて、より低い優先順位が割り当てられる、請求項13に記載の方法。
【請求項１５】
前記複数の共存ワイヤレスシステムに関する前記UEの前記メトリックが、前記UEの少なくとも1つのバッファサイズに関係する少なくとも1つのメトリックを含む、請求項1に記載の方法。
【請求項１６】
前記UEの前記少なくとも1つのバッファサイズが、前記UEによって送られているトラフィックデータを記憶するために使用される送信バッファの送信バッファサイズ、または前記UEによって受信されたトラフィックデータを記憶するために使用される受信バッファの受信バッファサイズ、または両方を含み、前記送信バッファサイズが第1のサイズを超えるか、または前記受信バッファサイズが第2のサイズを超えるか、または両方である場合、前記UEには、前記第1のワイヤレスシステムから別のワイヤレスシステムへの切り替えについて、より高い優先順位が割り当てられる、請求項15に記載の方法。
【請求項１７】
前記複数の共存ワイヤレスシステムが、ワイヤレスローカルエリアネットワーク(WLAN)システムおよびセルラーシステムを含む、請求項1に記載の方法。
【請求項１８】
前記複数の共存ワイヤレスシステムが、前記複数の共存ワイヤレスシステム間でUEを切り替えるように設計されたスモールセルの一部である、請求項1に記載の方法。
【請求項１９】
重複するカバレージを有しスモールセルの一部を形成する複数の共存ワイヤレスシステムを使用する、ワイヤレス通信のための装置であって、
前記スモールセルのためのスモールセルコントローラによって、前記複数の共存ワイヤレスシステムのカバレージ内に配置され、前記複数の共存ワイヤレスシステムの第1のワイヤレスシステムと通信するユーザ機器(UE)を識別することと、
前記スモールセルコントローラによって、前記複数の共存ワイヤレスシステムに関する前記UEのメトリックを判断することであって、前記メトリックが、効率、またはサービス請求、またはサービス加入、またはアプリケーションタイプ、またはバッファサイズ、またはそれらの組合せに関係する、判断することと、
前記スモールセルコントローラによって、前記複数の共存ワイヤレスシステムに関する前記UEの前記メトリックに基づいて、前記UEを前記第1のワイヤレスシステムから前記複数の共存ワイヤレスシステムのうちの別のワイヤレスシステムに切り替えるかどうかを判断することと
を行うように構成された少なくとも1つのプロセッサを備える、装置。
【請求項２０】
前記少なくとも1つのプロセッサが、
前記複数の共存ワイヤレスシステムに関する前記UEの前記メトリックに基づいて、前記複数の共存ワイヤレスシステムに関する前記UEの切り替え優先順位を判断することであって、各ワイヤレスシステムに関する前記UEの切り替え優先順位が、前記UEを前記第1のワイヤレスシステムから前記各ワイヤレスシステムに切り替える優先順位を示す、判断することと、
前記複数の共存ワイヤレスシステムに関する前記UEの前記切り替え優先順位に基づいて、前記UEを前記第1のワイヤレスシステムから前記複数の共存ワイヤレスシステムのうちの別のワイヤレスシステムに切り替えるかどうかを判断することと
を行うように構成される、請求項19に記載の装置。
【請求項２１】
前記少なくとも1つのプロセッサが、前記第1のワイヤレスシステムが輻輳を経験した場合、前記切り替え優先順位に基づいて、前記UEを前記第1のワイヤレスシステムから前記複数の共存ワイヤレスシステムのうちの別のワイヤレスシステムに切り替えるように構成される、請求項20に記載の装置。
【請求項２２】
重複するカバレージを有しスモールセルの一部を形成する複数の共存ワイヤレスシステムを使用する、ワイヤレス通信のための装置であって、
前記スモールセルのためのスモールセルコントローラによって、前記複数の共存ワイヤレスシステムのカバレージ内に配置され、前記複数の共存ワイヤレスシステムの第1のワイヤレスシステムと通信するユーザ機器(UE)を識別するための手段と、
前記スモールセルコントローラによって、前記複数の共存ワイヤレスシステムに関する前記UEのメトリックを判断するための手段であって、前記メトリックが、効率、またはサービス請求、またはサービス加入、またはアプリケーションタイプ、またはバッファサイズ、またはそれらの組合せに関係する、手段と、
前記スモールセルコントローラによって、前記複数の共存ワイヤレスシステムに関する前記UEの前記メトリックに基づいて、前記UEを前記第1のワイヤレスシステムから前記複数の共存ワイヤレスシステムのうちの別のワイヤレスシステムに切り替えるかどうかを判断するための手段と
を備える装置。
【請求項２３】
前記複数の共存ワイヤレスシステムに関する前記UEの前記メトリックに基づいて、前記複数の共存ワイヤレスシステムに関する前記UEの切り替え優先順位を判断するための手段であって、各ワイヤレスシステムに関する前記UEの切り替え優先順位が、前記UEを前記第1のワイヤレスシステムから前記各ワイヤレスシステムに切り替える優先順位を示す、手段
をさらに備え、
前記UEを切り替えるかどうかを判断するための前記手段が、前記複数の共存ワイヤレスシステムに関する前記UEの前記切り替え優先順位に基づいて、前記UEを前記第1のワイヤレスシステムから前記複数の共存ワイヤレスシステムのうちの別のワイヤレスシステムに切り替えるかどうかを判断するための手段を含む、
請求項22に記載の装置。
【請求項２４】
前記第1のワイヤレスシステムが輻輳を経験した場合、前記切り替え優先順位に基づいて、前記UEを前記第1のワイヤレスシステムから前記複数の共存ワイヤレスシステムのうちの別のワイヤレスシステムに切り替えるための手段
をさらに備える、請求項23に記載の装置。
【請求項２５】
非一時的コンピュータ可読記録媒体であって、
少なくとも1つのプロセッサに、スモールセルのためのスモールセルコントローラによって、重複するカバレージを有し前記スモールセルの一部を形成する複数の共存ワイヤレスシステムのカバレージ内に配置され、前記複数の共存ワイヤレスシステムの第1のワイヤレスシステムと通信するユーザ機器(UE)を識別させるためのコードと、
前記少なくとも1つのプロセッサに、前記スモールセルコントローラによって、前記複数の共存ワイヤレスシステムに関する前記UEのメトリックを判断させるためのコードであって、前記メトリックが、効率、またはサービス請求、またはサービス加入、またはアプリケーションタイプ、またはバッファサイズ、またはそれらの組合せに関係する、コードと、
前記少なくとも1つのプロセッサに、前記スモールセルコントローラによって、前記複数の共存ワイヤレスシステムに関する前記UEの前記メトリックに基づいて、前記UEを前記第1のワイヤレスシステムから前記複数の共存ワイヤレスシステムのうちの別のワイヤレスシステムに切り替えるかどうかを判断させるためのコードと
を備える、非一時的コンピュータ可読記録媒体。